(57)【要約】【課題】清掃が容易で検査の信頼性が高く、しかもコンパクトなサイズで多数の検体を収納できる顕微鏡観察標本用収納容器を提供する。【解決手段】顕微鏡標本Ｓの収納部３を備えた容器本体２と蓋体８からなり、前記収納部３が方形状の底面３ａと側壁３ｂとからなり、対向する側壁３ｂの内側に支持凸部４が列設されるとともに、該支持凸部４の下端と収納部底面３ｂとの間に該支持凸部４が設けられていない清掃用間隙８が形成されていることを特徴とする。【選択図】図４
2008122147.tif 000002
【特許請求の範囲】
【請求項１】
顕微鏡標本の収納部を備えた容器本体と蓋体からなり、前記収納部が方形状の底面と側壁とからなり、対向する側壁の内側に支持凸部が列設されるとともに、該支持凸部の下端と収納部底面との間に該支持凸部が設けられていない清掃用間隙が形成されていることを特徴とする顕微鏡観察標本用収納容器。
【請求項２】
容器本体が円形状の開口部を有する多角形状からなり、方形状の収納部を２列設けるとともに、蓋体が前記開口部に螺着可能な円形状からなることを特徴とする請求項１に記載の顕微鏡観察標本用収納容器。
【請求項３】
容器本体が円形状の開口部を有する円形状からなり、方形状の収納部を２列設けるとともに、蓋体が前記開口部に螺着可能な円形状からなることを特徴とする請求項１に記載の顕微鏡観察標本用収納容器。
【請求項４】
隣接する支持凸部の間隔に、下部が狭く上部が広いテーパが付けられていることを特徴とする請求項１乃至３のいずれか１項に記載の顕微鏡観察標本用収納容器。
【請求項５】
支持凸部の上端が収納部の上端付近に配置されていることを特徴とする請求項１乃至４のいずれか１項に記載の顕微鏡観察標本用収納容器。
【請求項６】
支持凸部の上端が収納部の底面から1 ／２〜２／３の高さに配置されていることを特徴とする請求項１乃至５のいずれか１項に記載の顕微鏡観察標本用収納容器。
【請求項７】
支持凸部の上端及び下端、及び収納部の上端が面取り又はアール処理されていることを特徴とする請求項１乃至６のいずれか１項に記載の顕微鏡観察標本用収納容器。
【請求項８】
収納部の内側面と底面の境界がアール処理されていることを特徴とする請求項１乃至７のいずれか１項に記載の顕微鏡観察標本用収納容器。
【請求項９】
開口部外側下方に把持突縁部が周設されていることを特徴とする請求項１乃至８のいずれか１項に記載の顕微鏡観察標本用収納容器。
【請求項１０】
透明樹脂材料製であることを特徴とする請求項１乃至９のいずれか１項に記載の顕微鏡観察標本用収納容器。
【発明の詳細な説明】
【技術分野】
【０００１】
本発明は病理組織や生物学的液体（血液や尿など）等の検体がスライドガラス上に固定されてなる顕微鏡観察用標本を収納するための顕微鏡観察標本用収納容器に関し、特に内部の清掃が容易で検査の信頼性が高く、また、コンパクトなサイズで多くの標本を収納することができる顕微鏡観察標本用収納容器に関するものである。
【背景技術】
【０００２】
従来から、病理組織の切片が固定され、又は生物学的液体が塗布されたスライドガラスからなる標本は、アルコールやホルマリンの中に浸して保存されていた。そのための容器としては、例えば特許文献１に記載されたような水密性容器がある。これは標本を充分に保護でき、さらに蓋を容器に螺合させるようになっているため容易に密封できる点で好ましい容器である。しかし、複数の標本をこの容器に入れるとお互いに衝突して破損するおそれがあるという欠点がある。
【特許文献１】特開２００１−２１０９号公報
【０００３】
この点を改良して、現在では図２０に示すような、外形が円筒状で断面略正方形の穴が穿設された容器の内側にいくつかの支持凸部を設けた容器が用いられている。これは支持凸部の間に標本を挿入することにより、標本同士が衝突することもなく、保管したり、容易に持ち運ぶことができる容器である。このような容器は少数の標本（図２０の従来例では４枚）を収納して携帯する目的で好適に使用されている。さらに、大量の標本を収納するために、図２１に示したような容器が好適に使用されている。これはガラス製で、断面が矩形になっており一列に標本を並べるようになっている。
【０００４】
ところで、この種の収納容器にあっては、収納した標本から、剥離した病理組織、生物学的液体又はこれらを固定染色するための薬剤等の汚染物質により容器内部が汚染され、容器隅部や底面付近に沈着するという問題が発生する。
このため定期的に容器内を清掃する必要があるが、図２０、図２１に示したような容器では支持凸部が邪魔となり掃除し難いという欠点がある。即ち、支持凸部の狭い隙間は極細の布片、ブラシなどの掃除具を挿入し、該支持凸部に沿って上下に動かすことによって掃除することに制限され、例えば布片やブラシを指先で汚染物質の付着した壁面に擦り付け剥し取ることは不可能である。このため、掃除に時間と手間が掛り、特に、底面との隅部については、時間と手間をかけても汚染物質を完全に除去することは困難である。
汚染物質を完全に除去しないまま該容器が再利用されると、残存する汚染物質が検査の精度に悪影響を及ぼし、これにより検査の信頼性が損なわれるという深刻な事態を惹き起こす虞れがある。
【発明の開示】
【発明が解決しようとする課題】
【０００５】
本発明は、かかる実情に鑑み、上記従来の問題を解消し、容器内部の清掃も容易に行うことができ、検査の信頼性を高め、また、コンパクトなサイズで多くの標本を収納できる顕微鏡観察標本用収納容器を提供することを目的とする。
【課題を解決するための手段】
【０００６】
上記課題を解決するための請求項１に係る発明は、顕微鏡標本の収納部を備えた容器本体と蓋体からなり、前記収納部が方形状の底面と側壁とからなり、対向する側壁の内側に支持凸部が列設されるとともに、該支持凸部の下端と収納部底面との間に該支持凸部が設けられていない清掃用間隙が形成されていることを特徴とする顕微鏡観察標本用収納容器を内容とする。
【０００７】
請求項２に係る発明は、容器本体が円形状の開口部を有する多角形状からなり、方形状の収納部を２列設けるとともに、蓋体が前記開口部に螺着可能な円形状からなることを特徴とする請求項１に記載の顕微鏡観察標本用収納容器を内容とする。
【０００８】
請求項３に係る発明は、容器本体が円形状の開口部を有する円形状からなり、方形状の収納部を２列設けるとともに、蓋体が前記開口部に螺着可能な円形状からなることを特徴とする請求項１に記載の顕微鏡観察標本用収納容器を内容とする。
【０００９】
請求項４に係る発明は、隣接する支持凸部の間隔に、下部が狭く上部が広いテーパが付けられていることを特徴とする請求項１乃至３のいずれか１項に記載の顕微鏡観察標本用収納容器を内容とする。
【００１０】
請求項５に係る発明は、支持凸部の上端が収納部の上端付近に配置されていることを特徴とする請求項１乃至４のいずれか１項に記載の顕微鏡観察標本用収納容器を内容とする。
【００１１】
請求項６に係る発明は、支持凸部の上端が収納部の底面から1 ／２〜２／３の高さに配置されていることを特徴とする請求項１乃至５のいずれか１項に記載の顕微鏡観察標本用収納容器を内容とする。
【００１２】
請求項７に係る発明は、支持凸部の上端及び下端、及び収納部の上端が面取り又はアール処理されていることを特徴とする請求項１乃至６のいずれか１項に記載の顕微鏡観察標本用収納容器を内容とする。
【００１３】
請求項８に係る発明は、収納部の内側面と底面の境界がアール処理されていることを特徴とする請求項１乃至７のいずれか１項に記載の顕微鏡観察標本用収納容器を内容とする。
【００１４】
請求項９に係る発明は、開口部外側下方に把持突縁部が周設されていることを特徴とする請求項１乃至８のいずれか１項に記載の顕微鏡観察標本用収納容器を内容とする。
【００１５】
請求項１０に係る発明は、透明樹脂材料製であることを特徴とする請求項１乃至９のいずれか１項に記載の顕微鏡観察標本用収納容器を内容とする。
【発明の効果】
【００１６】
請求項１に係る発明の顕微鏡観察標本用収納容器は、支持凸部の下端と収納部底面との間に支持凸部が存在しない清掃用間隙が形成されているため、布片など通常の掃除具を指先で擦り付けながら横方向に往復移動させることにより、汚染物質の沈着した隅部や底部付近を容易に清掃することができ、これにより汚染物質を容易且つ確実に除去することができる。その結果、汚染物質の影響を受ける虞れがなく、高精度で信頼性の高い検査を行うことができる。
【００１７】
請求項２に係る発明の顕微鏡観察標本用収納容器は、容器本体が円形状の開口部を有し且つ蓋体が前記開口部に螺着可能な円形状からなるため、容器密閉のための作業が容易である。また、容器本体が多角形状からなるため、角の部分に指を掛けることにより力を入れやすくなり、容器密閉がより容易になる。さらに、方形状の収納部を２列に設けるため、標本の収納量が増加するとともに、容器本体が扁平にならないので安定性が増し、顕微鏡観察標本用収納容器が倒れにくくなる。
【００１８】
請求項３に係る発明の顕微鏡観察標本用収納容器は、容器本体が円形状の開口部を有し且つ蓋体が前記開口部に螺着可能な円形状からなるため、容器密閉のための作業が容易である。また、容器本体が円形状からなるため、容器全体として角の部分が少なく、運搬などの邪魔になる突出部がないので持ち運びがより容易になる。さらに、方形状の収納部を２列に設けるため、標本の収納量が増加するとともに、容器本体の側壁が極端に厚くなることがなく、従って材料の無駄がなく、収納枚数の割に容器本体が大きくなり過ぎることもない。また、収納部を２列設けることにより、円形状容器本体の底面も大きくなるため安定性が増し、顕微鏡観察標本用収納容器が倒れにくくなる。
【００１９】
請求項４に係る発明の顕微鏡観察標本用収納容器は、隣接する支持凸部の間隔に下部が狭く上部が広いテーパが付けられているため、入り口が広くなって標本の収納又は取り出し作業がしやすくなる。更に、下部が狭くなっているので顕微鏡観察標本用収納容器を持ち運ぶ際にこれが揺動したとしても、内部にある標本のがたつきが抑えられ、標本を安定に保管することができ、検体が破損する危険性が減少する。
【００２０】
請求項５に係る発明の顕微鏡観察標本用収納容器は、支持凸部の上端が収納部の上端付近に配置されているので、支持凸部は標本の大部分を支持することになり、標本を極めて安定的に収納できる。
【００２１】
請求項６に係る発明の顕微鏡観察標本用収納容器は、支持凸部の上端が収納部の底面から1 ／２〜２／３の高さに配置されているため、標本の収納や取り出しの際に手を高く掲げる必要がなくなり、標本を収納又は取り出しやすい。特に取り出しの際には標本が支持凸部の間隙から大きくはみ出しているため、この部分をつかみ易く、より取り出しやすくなる。
【００２２】
請求項７に係る発明の顕微鏡観察標本用収納容器は、支持凸部の上端及び下端、及び収納部の上端が面取り又はアール処理されているため、この部分に標本上の検体が衝突したとしても衝撃は分散されるため損傷しにくくなり、また、標本の収納又は取り出しを安全に行う事ができる。更に、掃除する際に、手指を傷つける虞れがない。
【００２３】
請求項８に係る発明の顕微鏡観察標本用収納容器は、収納部の内側面と底面の境界がアール処理されているため、汚染物質が容器の隅に入り込むようなことがなく、布片など通常の掃除具により容易に汚れを落とすことができ、その結果、検査結果が汚染物質により影響を受けるようなことがなく、より信頼性の高い検査を行うことができる。
【００２４】
請求項９に係る発明の顕微鏡観察標本用収納容器は、開口部外側下方に把持突縁部が周設されているため、該突縁部に指を掛けることができ、持ち運んだり、蓋体を開閉したりする際の取り扱い性が高められる。
【００２５】
請求項１０に係る発明の顕微鏡観察標本用収納容器は、透明樹脂材料製であるため、標本の有無が外観から判断でき、作業性が向上する。
【発明を実施するための最良の形態】
【００２６】
本発明の顕微鏡観察標本用収納容器は容器本体と蓋体からなる。容器本体は収納部と開口部を有する。検体を固定した標本はアルコールやホルマリンなどの保存用の薬液で満たされた収納部内に挿入されて、保存又は運搬される。
【００２７】
容器本体の形状は特に限定されず、内部に標本を列置できる収納部を有し、上部に標本を出し入れする開口部を有する限りどのような形状でもよく、断面形状が正方形、長方形、六角形、円形のものを例示できる。但し、水平断面形状が矩形状の場合、安定性の観点から短辺と長辺の比が１：２以内であるほうが好ましく、１：１．２以内であれば更に好ましく、略正方形が最も好ましい。
また、蓋体を開口部に螺着可能とした場合、蓋体の開閉の容易さの観点から容器本体の水平断面形状は多角形状が好ましい。この場合、容器本体の角の部分に指を掛けることができ、蓋体の開閉の際に力を入れやすく、容器の密閉が容易になる。
さらに、持ち運びの容易さの観点からは、水平断面形状が円形状又は楕円形状であれば、運搬中に角の部分が邪魔になるようなことがない。
また、材料の無駄を省く観点からは、収納部の大きさと略等しい矩形状であれば好ましい。このように、蓋体の開閉頻度、運搬頻度、コスト等の面を考慮し、適当な形状を選択することができる。
【００２８】
収納部は断面形状が矩形状の箱型である。ここで矩形状とは厳密な意味での矩形である必要はなく、角はアール処理などされていてもよいし、側壁や底面は装飾等のためある程度の曲面とされていてもよい。つまり、標本の向きを揃えて、対向する１対の側壁に沿って並べて保存できる形状であればここで言う矩形状に当てはまる。
【００２９】
収納部は容器本体内に１列だけ設けても良いし、２列以上に分けて設けても良い。但し、収納枚数の多い顕微鏡観察標本用収納容器を得ようとする場合、収納部が一列だけであると容器本体の形状が扁平になり、該容器が不安定になり倒れ易くなる傾向があり、一方、この不安定性を解消せんとして壁厚を大きくしたり、二重壁にすると嵩の割には標本の収納量が小さく収納効率が低下し、また、樹脂量が多くなり不経済となる。従って、安定性、収納効率、経済性の点から、２列以上に分けて設ける方が好ましい。さらに、３列以上に分けると容器本体が大きくなりすぎ、片手では持ち難くなるので、持ち運びを容易にする観点からは、収納部は２列とする方が好ましい。
【００３０】
収納部における対向する２対の側壁のうち１対の側壁の内側には支持凸部が列設されている。標本はその両側部を向かい合い隣接する支持凸部間に形成される凹部に挿入して収納される。これにより標本は起立した状態で整列して効率よく保存され、かつ支持凸部を挟んで収納された標本がお互いに衝突することがなく、検体が損傷することがない。
【００３１】
支持凸部が設けられていない側壁には検体の損傷を防ぐための構造が設けられていてもよい。例えば標本の中央（通常、ここに検体が固定される）と側壁が衝突しないよう、凹部を設けることもできる。これにより標本の表面を壁側に向けたとしても検体が壁面との衝突により損傷することがない。なお、壁面の凹部は任意の構成であり、凹部が設けられていない顕微鏡観察標本用収納容器であっても本発明の技術的範囲に含まれることは云うまでもない。この場合、標本はその裏面（検体が存在しない側）を壁側に向けて保存するほうが好ましい。
【００３２】
支持凸部の下端と収納部の底面の間には、該支持凸部が設けられていない清掃用間隙が設けられる。この清掃用間隙には掃除の邪魔になるような凹凸がないため、収納部の底面や隅部に沈着した汚染物質を除去する際には、例えば、指先に布片等を巻き付けてこの清掃用間隙及び底面や隅部を擦り付け横方向に往復運動させることにより、汚染物質を容易に剥離除去することができるので、清掃作業が容易になるとともに、清掃効率が向上する。
清掃用間隙の大きさ、即ち支持凸部の下端と収納部底面との間の距離は特に限定されないが、清掃の際には収納部の内部を指でこする事もある点を考慮し、指が楽に入る程度の大きさ、具体的には８〜１５ｍｍ程度が好ましい。８ｍｍ未満だと指が入り難くなる場合があり、また、１５ｍｍを超えても清掃効率は上昇しない上に標本を支える部分が減少するため標本が若干不安定になる傾向がある。
【００３３】
隣接する支持凸部の間隔に下部が狭く上部が広いテーパを付ける、即ち支持凸部の幅に上側で狭く下側で広いテーパを付けることができる。標本は支持凸部の間に上方から挿入するため、かかるテーパを付けると入り口が広くなり、標本の収納や取り出しがしやすくなる。また下部が狭いためこの部分で標本のがたつきを抑えることができ、これにより標本を安定に保管することができ、検体が破損する危険性が減少する。
【００３４】
支持凸部の上端は、通常、収納部の上端付近に配置され、これにより標本が安定的に収納される。標本の挿入しやすさの点からは、収納部の上端よりも５〜１０ｍｍ低い位置に配するのが好ましい。また支持凸部の上端を収納部の底面から1 ／２〜２／３の高さに配置することもできる。このようにすることにより、標本の収納時に、標本を持つ手を高く掲げる必要がなくなるとともに、標本を収納又は取り出す際に、標本を傾けられる角度が大きくなるので作業が容易となる。特に取り出しの際には標本が支持凸部の間隙から大きくはみ出しているため、この部分をつかみ易く、より取り出しやすくなっている。
ここで支持凸部３の上端が２／３を超えた位置に配置された場合は、収納部の上端付近に配置した場合と比較し、出し入れのしやすさの点で大差がない。また、１／２未満の位置に配置されるとその上端は標本の重心よりも低くなってしまうため、標本を充分支えきれず不安定となるおそれがある。
【００３５】
支持凸部の上端及び下端、及び収納部の上端は、アール処理または面取りがされていることが好ましい。これは、第１には、標本を安全に出し入れできるようにするためである。即ち、標本を収納または取り出す際に、これが支持凸部の上端、下端、収納部の上端などと衝突した場合でも、形成されたアールにより衝撃が分散されるため、検体が損傷することが防止される。第２には支持凸部や掃除用間隙を掃除する際に、手指を傷つけることが防止される。
【００３６】
支持凸部の高さ（突出高さ）は、支持凸部と支持凸部との間に標本を安定的に保持できる程度であればよく、通常、２〜５ｍｍ程度である。
支持凸部の間隔は特に限定されないが、標本が１枚、又は２枚入る程度が望ましい。標本の表面にある検体が隣の標本と衝突しないようにできるからである。なお、ひとつの間隙に２枚の標本を入れる場合はお互いを裏面（検体が存在しない面）で合わせるようにすればよい。また、３枚以上入る程度の間隔としてもよい。
【００３７】
尚、支持凸部を断面正弦波状に設け、標本が常に該正弦波状凹部の中央に位置するように設けると、標本が狭広の差異なく略等間隔に整列することになるので指で摘んで取り出し易く、また、外観も良好となるので好ましい。
【００３８】
収納部の側壁と底面の境界をアール処理することもできる。通常の場合、隅の部分に付着した汚れは落としにくく、先の細いブラシや布片などで何度もこすってやっときれいにすることができるが、この部分をアール処理することにより隅になる部分をなくした場合、単に布片など通常の掃除具で拭くことにより汚染物質を除去することができ、清掃が容易になる。これにより洗い残しの汚染物質がアルコールやホルマリンなどに溶け出して検体に付着し、検査結果を乱すような事態を防止できるので、より信頼性の高い検査を行うことができる。
【００３９】
開口部は収納部に収納された標本を出し入れするためのものである。その形状は、標本を把持するための冶具や手指を差し込むことができ、標本の出し入れのときに邪魔にならない形状であれば特に限定されない。また、収納部に注入されたホルマリンやアルコールが保存時に蒸発しないよう、蓋体で密閉しやすい形状であるほうが好ましい。具体的には円形状の筒状部材であり、その外周にはねじ山が螺刻されている形状が例示できる。この場合、顕微鏡観察標本用収納容器を密閉するには単に蓋体を開口部に螺着させるだけでよく、極めて容易である。
【００４０】
開口部の外側下方には把持突縁部を周設することもできる。この場合、把持突縁部に指を掛けることができるので容器の開閉の際に力を入れやすく、作業性が高められる。また、把持突縁部を片手で持って蓋体を螺着したり螺離することもできる。
【００４１】
把持突縁部の形状は特に限定されないが、リング状の平板をつけるのが好ましい。顕微鏡観察標本用収納容器がどのような置き方をされていても好適に把持突縁部に指を掛けることができるからである。
【００４２】
蓋体と開口部の間の密閉を保つために、蓋体の裏面にはシール材を設けることもできる。シール材の形状は開口部と蓋体の間を密閉できる限り特に限定されず、Ｏリング型、平板リング型、円盤型などさまざまな形状が採用できる。
その材質も特に限定されず、軟質塩化ビニル、軟質ポリエチレン等の軟質プラスチック、シリコーンゴム、天然ゴム等のエラストマーなどが例示できる。
【００４３】
容器本体及び蓋体の材質は特に限定されず、ガラスや樹脂、金属等、容器として通常使用できる材質であればどのようなものでも使用できるが、造形性や軽量化、更には壊れ難さ、経済性を考慮して樹脂製が好ましい。使用できる樹脂としては特に限定されないが、ポリエチレン、ポリプロピレン等のポリオレフィン樹脂、ポリスチロール樹脂、塩化ビニル樹脂、ポリエステル樹脂、ポリアミド樹脂、ＡＢＳ樹脂、ＡＳ樹脂、ポリアセタール樹脂等が挙げられる。
また、透明な樹脂を使用するとより好ましい。標本Ｓの有無や検体の種類を外観から判断することができ、作業性が向上するからである。透明材料としては、特に限定されないがポリプロピレン、ポリアミド樹脂、ポリエステル樹脂、ポリアセタール樹脂等が例示できる。
【実施例】
【００４４】
以下、本発明に係る実施例を図面に基づいて更に詳細に説明するが、本発明はかかる実施例のみに限定されないことは云うまでもない。
【００４５】
実施例１
図１乃至図３に本発明の顕微鏡観察標本用収納容器１の実施例１を示す。図１は一部切除平面図、図２、図３はそれぞれ一部切除側面図である。実施例１は矩形状の収納部３と矩形状の開口部７を有する容器本体２と蓋体８からなり、開口部７に蓋体８が載置されている。
【００４６】
図１に示すように、収納部３の側壁３ａ内側には片面あたり９個の支持凸部４が列設されている。支持凸部４の間隔は標本Ｓが１枚入る程度なので、合計１０枚の標本Ｓを収納できる。また図２に示すように支持凸部４の上端及び下端はアール処理されているため、該容器を清掃する際に手指を傷つけることがなく、さらに、ここに標本Ｓがぶつかったとしても衝撃は少なく、検体を損傷する危険が減少する。
【００４７】
支持凸部４の間隙には、図３に示す通り、下部が狭く上部が広いテーパが付けられている。つまり入り口が広くなっているため標本Ｓを支持凸部４の間に入れやすく、また取り出しやすい。また支持凸部４の間隙に入る標本Ｓは１枚であるので標本Ｓ同士が衝突することがなく、最も安全に保存、運搬をすることができる。
なお、実施例１では支持凸部４の上端は収納部６の上端から４０ｍｍ下方に設けられており、標本Ｓの挿入又は取り出しが容易である。ここで収納部３の底面３ｂから上端までの高さは８５ｍｍであるので、支持凸部４の上端は収納部３の高さの１／２〜２／３の高さ（４５ｍｍ／８５ｍｍ＝９／１７）の高さに配置されていることになる。
【００４８】
支持凸部４の下端と底面３ｂの間には、該支持凸部が存在しない、１５ｍｍ程度の清掃用間隙５が設けられている。この間隙には清掃の邪魔になるような凹凸がないため、収納部３の内部、特に、隅部や底面に沈殿、付着した汚染物質を除去する場合、例えば、布片を指先に巻き付け、清掃用間隙５内を側壁３ａや底面３ｂ、両者の隅部に沿って擦り付けることにより容易に拭き取ることができる。また、側壁３ａと底面３ｂの間はアール処理されているため、汚染物質が隅の部分に入り込むようなことがなく、清掃がより容易になる。
【００４９】
なお、本実施例における顕微鏡観察標本用収納容器１はガラス製であり、標本Ｓの有無や検体の種類を外部から視認できるようになっている。また容器自体が樹脂製のものと比較してかなり重い反面安定性が高く、据え置き型の顕微鏡観察標本用収納容器１として好適に使用できる。尚、図２１に示したように、引っ掛けタイプの止め具を備えた顕微鏡標本用収納容器にも適用できることは云うまでもない。
【００５０】
実施例２
図４に本発明の顕微鏡観察標本用収納容器１の実施例２を示す。実施例２は図２０に示した従来の容器と同様に、外形が円筒状の容器本体２に断面略正方形の穴を穿設して収納部３とし、その対向する１対の側壁３ａに３個の支持凸部４を設けて４枚の標本Ｓを収納できるようにし、他対の側壁３ａに凹部６を設けて検体の壁との接触や破損を防止した例である。開口部７の外周は円形であり、内周が円形とされた蓋体８を嵌着することにより容器を密閉できるようになっている。
【００５１】
本実施例では図２０に示した従来例と異なり、支持凸部４の下端と底面３ｂの間には１０ｍｍほどの清掃用間隙５が設けられており、側壁３ａや底面３ｂ、両者の隅部に沈着した汚染物質を容易に取り除くことができるようになっている。
【００５２】
実施例２の顕微鏡観察標本用収納容器１は樹脂製であって軽量であり、また外形が略円筒状であって突出部がないため、特に標本運搬用の顕微鏡観察標本用収納容器として好適に使用できる。
【００５３】
実施例３
図５に本発明の顕微鏡観察標本用収納容器１の実施例３を示す。実施例３は対向する１対の側壁３ａにそれぞれ９個の支持凸部４を設け、１０枚の標本Ｓを収納できるようにした他は実施例２と同様であり、特に、標本運搬用の顕微鏡観察標本用収納容器１として好適に使用できる例である。
【００５４】
実施例４
図６乃至図８に本発明の顕微鏡観察標本用収納容器１の実施例４を示す。実施例４は容器本体２が略正方形状であって上部に円形状の開口部７を有し、内周面の断面が円形状の蓋体８を開口部７に螺着させるようになっている。また蓋体８の裏面には開口部７との密閉を保つため平板リング型のシール材８ａが設けられている。
【００５５】
図６に示すように、容器本体２には２列の収納部３が設けられており、それぞれの収納部３の長辺側の側壁３ａにはそれぞれ１１個の支持凸部４が設けられているため、実施例４の顕微鏡観察標本用収納容器１には、１列あたり１２枚、計２４枚の標本Ｓを収納することができる。
【００５６】
図７に示すように、支持凸部４の上端及び下端はアール処理されているため、該容器を清掃する際に手指を傷つけることがなく、さらに、ここに標本Ｓがぶつかったとしても衝撃は少なく、検体を損傷する危険が減少する。なお、収納部３の上端、即ち開口部５との境目にもアール処理がされており、清掃の際の安全性がさらに高められるとともに、衝突による検体損傷の危険性はさらに低くなっている。
また、支持凸部４の下端と底面３ｂの間には１０ｍｍ程度の清掃用間隙８が設けられ、側壁３ａと底面３ｂの間はアール処理されている。これにより収納部３内部、特に、側壁３ａ、底面３ｂ、両者の隅部の清掃が容易になる点は実施例１乃至実施例３と同様である。
【００５７】
なお、実施例４では支持凸部３の上端は収納部２の上端付近（収納部２の上端と略同じ）に配置されている。このようにすると標本Ｓは最も安定し、検査時にあっては倒れ難く、運搬時でも標本Ｓはがたつき難くなり、検体が破損する虞れが減少する。
【００５８】
実施例４では、図８に示すとおり、容器本体２は断面略正方形状であるから、極めて安定で、不用意に倒れることがなく、また、角の部分に指を掛けて容器本体２を握持することができるため、蓋体の開閉の際にも指が滑りにくくなり容器を密閉しやすい。また、この容器本体２の大きさは収納部２列を並べた部分の大きさと略等しくされており、無駄なスペースがなく、また材料が最も少なくて済み、安価に製造できる。
【００５９】
実施例５
図９乃至図１１に本発明の顕微鏡観察標本用収納容器１の実施例５を示す。実施例５は開口部外側下方に把持突縁部７ａが設けられている他は実施例４と同様である。そのため、蓋体８を開閉する際には、容器本体２の角の部分の他、この把持突縁部７ａを持つこともでき、一層容器の密閉が容易になる。
【００６０】
実施例６
図１２乃至図１４に本発明の顕微鏡観察標本用収納容器１の実施例６を示す。実施例６の容器本体２は側壁３ａと底面３ａからなる収納部３の外側に断面視略正方形状の外壁２ａを有する他は実施例４と同様である。この実施例６では外壁２ａが断面視略正方形状であるから、その角の部分に指を掛けることができるため蓋部８を密閉しやすい他、蓋部８よりも容器本体２の方が大きいため、安定性が一層高められる。
【００６１】
実施例７
図１５、図１６に本発明の顕微鏡観察標本用収納容器１の実施例７を示す。実施例７では側壁３ａと底面３ａからなる収納部３を断面形状が略円形状の容器本体２の中に設け、蓋体８の裏面に円盤型のシール材８ａを設けた他は実施例４と同様である。この実施例７では容器本体２が断面視略円形状であるから、運搬の邪魔になるような突出部がなく、より標本の運搬に適した顕微鏡観察標本用収納容器１となる。尚、収納部３と外周壁との間を、実施例６の場合のように、中空とすることも可能で、この場合は、軽量となるばかりでなく、材料の節約となる。
【００６２】
実施例８
図１７、図１８に本発明の顕微鏡観察標本用収納容器１の実施例８を示す。実施例８は開口部外側下方に把持突縁部７ａが設けられている他は実施例７と同様である。そのため、持ち運びがし易いとともに、蓋体８を開閉する際にはこの把持突縁部７ａを持つことができ、容器の密閉も容易になる。
【００６３】
実施例９
図１９に支持凸部４の他の例を示す。即ち、本実施例の支持凸部４はその断面が正弦波状に設けられ、隣接する支持凸部４の間に形成される間隙である正弦波状凹部の略中央に標本Ｓが位置するように形成されている。かくして、標本Ｓは狭広の差異なく略等間隔で整列するため、標本Ｓを指で摘んで取り出し易いばかりでなく、見た目にも綺麗である。
【産業上の利用可能性】
【００６４】
叙上のとおり、本発明の顕微鏡観察標本用収納容器は、清掃が容易であるので、汚染物質による検査精度への悪影響が避けられ、信頼性の高い検査を行うことができ、また、コンパクトなサイズ、形状であるにも拘らず、多数の標本を収納できるので、特に、病院など、大量の検体を検査する場合に、頗る有用性が高いものである。
【図面の簡単な説明】
【００６５】
【図１】実施例１の一部切除平面図である。
【図２】実施例１の一部切除正面図である。
【図３】実施例１の一部切除側面図である。
【図４】実施例２の一部切除正面図及び平面図である。
【図５】実施例３の一部切除正面図及び平面図である。
【図６】実施例４の一部切除平面図である。
【図７】実施例４の一部切除正面図である。
【図８】実施例４の底面図である。
【図９】実施例５の一部切除平面図である。
【図１０】実施例５の一部切除正面図である。
【図１１】実施例５の底面図である。
【図１２】実施例６の一部切除平面図である。
【図１３】実施例６の一部切除正面図である。
【図１４】実施例６の底面図である。
【図１５】実施例７の一部切除平面図である。
【図１６】実施例７の一部切除正面図である。
【図１７】実施例８の一部切除平面図である。
【図１８】実施例８の一部切除正面図である。
【図１９】実施例９の支持凸部の他の例を示す要部断面図である。
【図２０】従来の顕微鏡観察標本用収納容器の説明図である。
【図２１】他の従来例の説明図である。
【符号の説明】
【００６６】
１  顕微鏡観察標本用収納容器
２  容器本体
２ａ  外壁
３  収納部
３ａ  側壁
３ｂ  底面
４  支持凸部
５  清掃用間隙
６  凹部
７  開口部
７ａ  把持突縁部
８  蓋体
８ａ  シール材
Ｓ  標本
Ａ  従来の顕微鏡観察標本用収納容器
【図１】
2008122147.tif 000003
【図２】
2008122147.tif 000004
【図３】
2008122147.tif 000005
【図４】
2008122147.tif 000006
【図５】
2008122147.tif 000007
【図６】
2008122147.tif 000008
【図７】
2008122147.tif 000009
【図８】
2008122147.tif 000010
【図９】
2008122147.tif 000011
【図１０】
2008122147.tif 000012
【図１１】
2008122147.tif 000013
【図１２】
2008122147.tif 000014
【図１３】
2008122147.tif 000015
【図１４】
2008122147.tif 000016
【図１５】
2008122147.tif 000017
【図１６】
2008122147.tif 000018
【図１７】
2008122147.tif 000019
【図１８】
2008122147.tif 000020
【図１９】
2008122147.tif 000021
【図２０】
2008122147.tif 000022
【図２１】
2008122147.tif 000023